【手続補正書】
【提出日】平成27年8月18日(2015.8.18)
【手続補正１】
【補正対象書類名】特許請求の範囲
【補正対象項目名】全文
【補正方法】変更
【補正の内容】
【特許請求の範囲】
【請求項１】
１または複数のコンピューティングデバイスが、
第１のユーザの移動体デバイスから、前記デバイスに対する電力に関する情報、前記デバイスのネットワーク接続に関する情報、および前記デバイスの通知モードから成るグループから選択されるデバイス状態情報を受信する、第１のメッセージ受信ステップと、
前記第１のユーザに対して送信される１または複数の発信メッセージを識別するステップと、
前記１または複数の発信メッセージのそれぞれの価値を計算するステップであって、前記価値は、前記第１のユーザに関する情報について計算される、発信メッセージ価値計算ステップと、
前記１または複数の発信メッセージのそれぞれにタイムアウト期間を割り当てるステップであって、前記タイムアウト期間は前記第１のユーザと前記１または複数の発信メッセージのそれぞれとの間の計算された親和度に反比例し、前記タイムアウト期間は前記デバイス状態情報に基づいてスケール係数によって調整される、ステップと、
前記発信メッセージを発信メッセージキューに入れる、発信メッセージをキューに入れるステップと、
前記デバイス状態情報と、前記タイムアウト期間と、前記１または複数の発信メッセージのそれぞれの価値とに基づくトリガ条件を検出すると、前記発信メッセージキュー内の少なくとも１つのメッセージを前記移動体デバイスに送信する、送信ステップと、からなる方法。
【請求項２】
前記発信メッセージ価値計算ステップはさらに、前記１または複数の発信メッセージのぞれぞれと前記第１のユーザとの間の親和度に基づく、請求項１に記載の方法。
【請求項３】
前記発信メッセージをキューに入れるステップは、前記発信メッセージキュー内のすべてのメッセージの価値の合計を計算するを含み、前記トリガ条件は、該合計が所定の閾値を超えることを含む、請求項１に記載の方法。
【請求項４】
前記所定の閾値は、前記デバイス状態情報に基づく、請求項３に記載の方法。
【請求項５】
前記トリガ条件は、前記発信メッセージキュー内の前記１または複数のメッセージの前
記タイムアウト期間のうちのいずれか１つが経過した場合にトリガされる、請求項１に記載の方法。
【請求項６】
前記デバイス状態情報は、前記移動体デバイスのシステム健全性を含む、請求項１に記載の方法。
【請求項７】
前記移動体デバイスの前記システム健全性は、前記移動体デバイスのバッテリ状態を含む、請求項６に記載の方法。
【請求項８】
非一時的なコンピュータ記憶媒体であって、命令を備え、前記命令は、１または複数のコンピューティングデバイスによって実行されると、
第１のユーザの移動体デバイスから、前記デバイスに対する電力に関する情報、前記デバイスのネットワーク接続に関する情報、および前記デバイスの通知モードから成るグループから選択されるデバイス状態情報を受信する、第１のメッセージ受信ステップと、
前記第１のユーザに対して送信される１または複数の発信メッセージを識別するステップと、
前記１または複数の発信メッセージのそれぞれの価値を計算するステップであって、前記価値は、前記第１のユーザに関する情報について計算される、発信メッセージ価値計算ステップと、
前記１または複数の発信メッセージのそれぞれにタイムアウト期間を割り当てるステップであって、前記タイムアウト期間は前記第１のユーザと前記１または複数の発信メッセージのそれぞれとの間の計算された親和度に反比例し、前記タイムアウト期間は前記デバイス状態情報に基づいてスケール係数によって調整される、ステップと、
前記発信メッセージを発信メッセージキューに入れる、発信メッセージをキューに入れるステップと、
前記デバイス状態情報と、前記タイムアウト期間と、前記１または複数の発信メッセージのそれぞれの価値とに基づくトリガ条件を検出すると、前記発信メッセージキュー内の少なくとも１つのメッセージを前記移動体デバイスに送信する、送信ステップと、が行われるように構成される、媒体。
【請求項９】
前記発信メッセージ価値計算ステップはさらに、前記１または複数の発信メッセージのぞれぞれと前記第１のユーザとの間の親和度に基づく、請求項８に記載の媒体。
【請求項１０】
前記発信メッセージをキューに入れるステップは、前記発信メッセージキュー内のすべてのメッセージの価値の合計を計算するを含み、前記トリガ条件は、該合計が所定の閾値を超えることを含む、請求項８に記載の媒体。
【請求項１１】
前記所定の閾値は、前記デバイス状態情報に基づく、請求項１０に記載の媒体。
【請求項１２】
前記トリガ条件は、前記発信メッセージキュー内の前記１または複数のメッセージの前記タイムアウト期間のうちのいずれか１つが経過した場合にトリガされる、請求項８に記載の媒体。
【請求項１３】
前記デバイス状態情報は、前記移動体デバイスのシステム健全性を含む、請求項８に記載の媒体。
【請求項１４】
前記移動体デバイスの前記システム健全性は、前記移動体デバイスのバッテリ状態を含む、請求項１３に記載の媒体。
【請求項１５】
１また複数のプロセッサと、
前記プロセッサによって実行可能な命令を含む、前記プロセッサに結合されているメモリと、を備え、前記プロセッサは、前記命令が実行されるとき、
第１のユーザの移動体デバイスから、前記デバイスに対する電力に関する情報、前記デバイスのネットワーク接続に関する情報、および前記デバイスの通知モードから成るグループから選択されるデバイス状態情報を受信する、第１のメッセージ受信ステップと、
前記第１のユーザに対して送信される１または複数の発信メッセージを識別するステップと、
前記１または複数の発信メッセージのそれぞれの価値を計算するステップであって、前記価値は、前記第１のユーザに関する情報について計算される、発信メッセージ価値計算ステップと、
前記１または複数の発信メッセージのそれぞれにタイムアウト期間を割り当てるステップであって、前記タイムアウト期間は前記第１のユーザと前記１または複数の発信メッセージのそれぞれとの間の計算された親和度に反比例し、前記タイムアウト期間は前記デバイス状態情報に基づいてスケール係数によって調整される、ステップと、
前記発信メッセージを発信メッセージキューに入れる、発信メッセージをキューに入れるステップと、
前記デバイス状態情報と、前記タイムアウト期間と、前記１または複数の発信メッセージのそれぞれの価値とに基づくトリガ条件を検出すると、前記発信メッセージキュー内の少なくとも１つのメッセージを前記移動体デバイスに送信する、送信ステップと、が行われるように構成される、システム。
【請求項１６】
前記発信メッセージ価値計算ステップはさらに、前記１または複数の発信メッセージのぞれぞれと前記第１のユーザとの間の親和度に基づく、請求項１５に記載のシステム。
【請求項１７】
前記発信メッセージをキューに入れるステップは、前記発信メッセージキュー内のすべてのメッセージの価値の合計を計算するを含み、前記トリガ条件は、該合計が所定の閾値を超えることを含む、請求項１５に記載のシステム。
【請求項１８】
前記所定の閾値は、前記デバイス状態情報に基づく、請求項１７に記載のシステム。
【請求項１９】
前記トリガ条件は、前記発信メッセージキュー内の前記１または複数のメッセージの前記タイムアウト期間のうちのいずれか１つが経過した場合にトリガされる、請求項１５に記載のシステム。
【請求項２０】
前記デバイス状態情報は、前記移動体デバイスのシステム健全性を含む、請求項１５に記載のシステム。
【請求項２１】
前記移動体デバイスの前記システム健全性は、前記移動体デバイスのバッテリ状態を含む、請求項２０に記載のシステム。